(57)【特許請求の範囲】
【請求項１】
着座フレームと、該着座フレーム上に載置されたクッションパッドと、前記着座フレーム及び前記クッションパッドを被覆する表皮材と、を備えたシートクッションであって、
前記着座フレームは、前後方向に延在する一対のサイドフレームと、該一対のサイドフレームの前端に架設される板状フレームと、該板状フレームの後方側において前記一対のサイドフレームに架設されると共に前記クッションパッドに当接する前方弾性部材と、該前方弾性部材の後方側に所定距離離間して配設されると共に前記クッションパッドに当接する後方弾性部材と、を備え、
前記前方弾性部材と前記後方弾性部材の前後方向における離間部分に乗員の坐骨結節が位置するように前記前方弾性部材及び前記後方弾性部材を配置したことを特徴とするシートクッション。
【請求項２】
着座フレームと、該着座フレーム上に載置されたクッションパッドと、前記着座フレーム及び前記クッションパッドを被覆する表皮材と、を備えたシートクッションであって、
前記着座フレームは、前後方向に延在する一対のサイドフレームと、該一対のサイドフレームの前端に架設される板状フレームと、該板状フレームの後方側において前記一対のサイドフレームに架設されると共に前記クッションパッドに当接する前方弾性部材と、該前方弾性部材の後方側に所定距離離間して配設されると共に前記クッションパッドに当接する後方弾性部材と、を備え、
前記前方弾性部材と前記後方弾性部材の前後方向における離間部分にＳＡＥ  Ｊ−８２６による３次元マネキンのヒップポイントと乗員の坐骨結節の両方が位置するように前記前方弾性部材及び前記後方弾性部材を配置したことを特徴とするシートクッション。
【請求項３】
前記前方弾性部材の後端部は、前記後方弾性部材の前端部よりも低い位置に配置されることを特徴とする請求項１又は２に記載のシートクッション。
【請求項４】
前記後方弾性部材の後端部は、前記前方弾性部材の前端部よりも低い位置に配置されることを特徴とする請求項１乃至３のいずれか一項に記載のシートクッション。
【請求項５】
前記後方弾性部材の前端部は、高さ方向において前記前方弾性部材の前端部と前記前方弾性部材の後端部との間に配置されることを特徴とする請求項１乃至４のいずれか一項に記載のシートクッション。
【請求項６】
前記前方及び後方弾性部材が配置された領域おいて、前記クッションパッドの上面は前方から後方に向かって下方に傾斜した斜面が形成されることを特徴とする請求項１乃至５のいずれか一項に記載のシートクッション。
【請求項７】
前記着座フレームの後方側にはパイプフレームが配設され、該パイプフレームは前記前方及び後方弾性部材よりも下方に配置されることを特徴とする請求項１乃至６のいずれか一項に記載のシートクッション。
【請求項８】
前記着座フレームの後方側にはパイプフレームが配設され、該パイプフレームは前記板状フレームよりも下方に配置されることを特徴とする請求項１乃至７のいずれか一項に記載のシートクッション。
【請求項９】
前記前方弾性部材の前方上端部は、前記板状フレームの後端部上端よりも上方に配置されることを特徴とする請求項１乃至８のいずれか一項に記載のシートクッション。
【請求項１０】
請求項１乃至９のいずれか一項に記載のシートクッションと、シートバックとを備えたことを特徴とする車両用シート。
【発明の詳細な説明】
【技術分野】
【０００１】
本発明は、シートクッション及び車両用シートに係り、特に振動特性が良好であり、着座感に優れたシートクッション及び車両用シートに関する。
【背景技術】
【０００２】
一般に、車両用シートにおいて、乗員の臀部及び大腿部を支持する着座部（シートクッション）は、着座フレームにクッションパッドを載置し、表皮材（トリムカバー）を被覆することにより形成されている。そしてこのようなシートクッションにおいて、乗員の着座感を良好にするため、種々の提案が成されている。
【０００３】
着座感に影響する因子としては、乗員に対するシートクッションの追従性（フィット感）や、車両走行時の振動特性等が挙げられる。特に振動特性は、長時間にわたって着座する乗員に対して影響しやすい。
【０００４】
自動車や電車等の車両は、その走行時、床面において振動が生じる。この時の振動が車両用シートに伝達されると、シートクッションが低周波（３〜４Ｈｚ程度）で振動する。その結果、シートクッションに着座した乗員の身体が共振するため、着座感が損なわれることがある。
【０００５】
これに対し、車両走行時、シートクッションで発生する低周波数領域における振動を低減し、シートクッションの着座感を良好にする技術として、シートサスペンション装置を設ける技術が提案されているが、その構成が複雑であり、大型化するという問題点があった。
【０００６】
さらに、共振を緩和する技術として、パンフレームを備え、そのパンフレームにおいて、乗員の臀部に相当する位置に複数のＳばねを架設する技術が知られている。このような構成とすることにより、シートクッションは、Ｓばね及びクッションパッドの弾性変形に起因して、乗員の身体に追従しやすく、且つ良好なクッション性を得ることができる。その結果、車両の走行に伴って車体から伝達される振動を和らげることができる。
【０００７】
このようなパンフレームにＳばねを架設した構成のシートクッションに関し、特許文献１には、乗員の臀部に相当する位置において凹状の尻部収納部を形成することにより、空気室を備えたシートクッションが開示されている。このシートクッションにおいて、空気室は、パンフレームと、パンフレーム上に載置されるクッションパッド（特許文献１では、「シートパッド」と記載されている）との間に形成される空間であり、空気室に連通するオリフィスがパンフレームの壁面に形成されている。
【０００８】
上記構成により、特許文献１に開示されたシートクッションは、クッションパッドの圧縮変形に伴い、空気室からの空気の流出が良好に行われ、シートクッション自体が振動を減衰させることが可能である。
【先行技術文献】
【特許文献】
【０００９】
【特許文献１】特開平９−１１７３４６号公報
【発明の概要】
【発明が解決しようとする課題】
【００１０】
特許文献１で開示されたシートクッションは、乗員の臀部に相当する位置において、Ｓばねがパンフレームに架設された構成であることから、クッションパッドが乗員の身体に追従しやすい。そして、Ｓばねを空気室の上方に架設する構成であることから、サスペンション装置等を別途備えることなく、振動を減衰させることが可能である。
【００１１】
しかし、特許文献１のシートクッションは、着座フレームとしてのパンフレームが、着座フレームの全面に亘って設けられており、乗員の大腿部だけでなく、臀部に相当する部分まで配設される必要があることから、重量が大きいという不都合がある。したがって、シートクッション自体の構成を簡単且つ軽量な構成とすると共に、乗員に対して高い追従性を備え、着座感をさらに改良したシートクッションが望まれていた。
【００１２】
本発明の目的は、簡単且つ軽量な構成であると共に、良好な振動特性を備えることにより、着座感が良好なシートクッション及び車両用シートを提供することにある。
【課題を解決するための手段】
【００１３】
前記課題は、本発明のシートクッションによれば、着座フレームと、該着座フレーム上に載置されたクッションパッドと、前記着座フレーム及び前記クッションパッドを被覆する表皮材と、を備えたシートクッションであって、前記着座フレームは、前後方向に延在する一対のサイドフレームと、該一対のサイドフレームの前端に架設される板状フレームと、該板状フレームの後方側において前記一対のサイドフレームに架設されると共に前記クッションパッドに当接する前方弾性部材と、該前方弾性部材の後方側に所定距離離間して配設されると共に前記クッションパッドに当接する後方弾性部材と、を備え、前記前方弾性部材と前記後方弾性部材の前後方向における離間部分に乗員の坐骨結節が位置するように前記前方弾性部材及び前記後方弾性部材を配置したこと、により解決される。
【００１４】
このように、本発明のシートクッションは、サイドフレームに横架される板状フレーム（パンフレーム）を備えている。そして、この板状フレームの後方側において一対のサイドフレームに架設されると共にクッションパッドに当接する前方弾性部材と、前方弾性部材の後方側に所定距離離間して配設されると共にクッションパッドに当接する後方弾性部材とを備えている。
板状フレームがサイドフレームの前端に架設されるため、本発明のシートクッションは、着座フレームの全面においてパンフレームを用い、乗員の大腿部から臀部までの位置をパンフレームとするシートクッションと比較して、極めて軽量にすることができる。
そして、板状フレームの後方において、弾性部材を左右方向に架設することにより、乗員の臀部が弾性部材によって支持される。その結果、共振倍率がさらに低減され、また、共振周波数を高くすることができる。したがって、車両からの振動に対する振動特性がさらに良好になり、乗員は共振による疲れを感じにくくなる。その結果、着座感が良好なシートクッションとすることができる。
また、弾性部材を備えることにより、クッションパッドが弾性部材に支持される。その結果、乗員の着座時、弾性部材によって乗員の臀部に対してクッションパッドが追従しやすくなるため、着座感を向上させることができる。
さらに、クッションパッドの追従性を向上させるために、特別な装置を用いることなく、軽量な弾性部材を用いているため、本発明のシートクッションは、重量が増加することなく、好適である。
【００１６】
そして、前方弾性部材と後方弾性部材の前後方向における離間部分に乗員の坐骨結節が位置するように前方弾性部材及び後方弾性部材を配置すると、坐骨結節部直下の圧力（坐骨圧力）を低減し、より良好な着座感を与えることができる。
【００１７】
また、前記前方弾性部材と前記後方弾性部材の前後方向における離間部分にＳＡＥ  Ｊ−８２６による３次元マネキンのヒップポイントと乗員の坐骨結節の両方が位置するように前記前方弾性部材及び前記後方弾性部材を配置した構成するとより好適である。
また、前記前方弾性部材の後端部は、前記後方弾性部材の前端部よりも低い位置に配置されると好適である。
また、前記後方弾性部材の後端部は、前記前方弾性部材の前端部よりも低い位置に配置されると好適である。
また、前記後方弾性部材の前端部は、高さ方向において前記前方弾性部材の前端部と前記前方弾性部材の後端部との間に配置されると好適である。
また、前記前方及び後方弾性部材が配置された領域おいて、前記クッションパッドの上面は前方から後方に向かって下方に傾斜した斜面が形成されると好適である。
また、前記着座フレームの後方側にはパイプフレームが配設され、該パイプフレームは前記前方及び後方弾性部材よりも下方に配置されると好適である。
また、前記着座フレームの後方側にはパイプフレームが配設され、該パイプフレームは前記板状フレームよりも下方に配置されると好適である。
また、前記前方弾性部材の前方上端部は、前記板状フレームの後端部上端よりも上方に配置されると好適である。
【００１８】
また、前記課題は、本発明の車両用シートによれば、上記いずれかのシートクッションと、シートバックとを備えたこと、により解決される。
このように、本発明の車両用シートは、上記のように軽量且つ簡単な構成で、着座感の良好なシートクッションを備えている。したがって、全体として軽量で、且つ着座感の良好な車両用シートとすることができる。
【発明の効果】
【００１９】
本発明によれば、パンフレームが着座フレームの全面に亘って配設されたシートクッションよりも、極めて軽量且つ簡単な構成で振動特性を向上させることができる。パンフレームを単純に小さくしただけでは、シートクッションの軽量化はできるものの、振動特性が低下するおそれがあったが、本発明によれば、乗員の着座時、車体からの振動に対して乗員の身体が共振しにくくなるため、快適な着座感が得られるシートクッションを提供することができる。
また、板状部材だけでなく、弾性部材をさらに備えることにより、振動特性をさらに向上させることができる。また、弾性部材によってクッションパッドを支持することにより、クッションパッドがより乗員に対して追従しやすくなるため、より着座感を向上させることができる。そして、特別な装置を用いることなくクッションパッドの追従性を高めるため、シートクッションの重量が増加することがない。
また、坐骨圧力を低減し、より良好な着座感を与えるシートクッションとすることができる。
また、本発明によれば、上記シートクッションを備えているので、軽量且つ簡単な構成で、振動特性に優れ、着座感の良好な車両用シートとすることができる。
【図面の簡単な説明】
【００２０】
【図１】本発明の実施形態に係る車両用シートの概略斜視図である。
【図２】本発明の実施形態に係る着座フレームの概略斜視図である。
【図３】本発明の実施形態に係るシートクッション上に乗員が着座した状態の説明図である。
【図４】本発明の実施形態に係る弾性部材の構成を示す説明図である。
【図５】本発明の実施形態に係る板状フレームの構成を示す説明図である。
【図６】本発明の実施例及び比較例に係るシートクッションにおける着座形状を示すグラフ図である。
【図７】本発明の実施例及び比較例に係るシートクッションにおける坐骨圧力の大きさを示すグラフ図である。
【図８】本発明の実施例及び比較例に係るシートクッションの共振倍率を示すグラフ図である。
【図９】本発明の実施例及び比較例に係るシートクッションの荷重特性を示すグラフ図である。
【発明を実施するための形態】
【００２１】
以下、本発明の一実施形態について、図を参照して説明する。なお、以下に説明する部材、配置等は、本発明を限定するものではなく、本発明の趣旨に沿って各種改変することができることはもちろんである。また、本明細書において、車両とは、自動車・鉄道など車輪を有する地上走行用乗物、地上以外を移動する航空機や船舶など、シートを装着できる移動用のものをいうものとする。また通常の着座荷重とは、着座するときに生じる着座衝撃、乗物の急発進によって生じる加速時の荷重などを含むものである。
さらに、本明細書における方向を示す用語に関し、図１のように各方向を定義する。すなわち、左右方向とは、車両用シートの幅方向を示し、着座した乗員から見て左側を左方向、着座した乗員から見て右側を右方向とする。また、前方向とは、着座した乗員から見て前方を指すものであり、後方向とは、着座した乗員から見て後方を指すものである。
【００２２】
また、本明細書中において「ヒップポイント」、「Ｈ点」とは、アメリカＳＡＥ規格  Ｊ−８２６（伊藤精機株式会社製ＳＡＥ−３ＤＭ型）による３次元マネキンの胴部と大腿部とを結ぶ回転中心点をいうものである。さらに、「坐骨結節」とは、乗員の骨盤の最も下方に位置する部分である。
【００２３】
図１乃至図５は本発明の実施形態に係るもので、図１は車両用シートの概略斜視図、図２は着座フレームの概略斜視図、図３はシートクッション上に乗員が着座した状態の説明図、図４は弾性部材の構成を示す説明図、図５は板状フレームの構成を示す説明図であり、図６乃至図９は本発明の実施例及び比較例に係るシートクッションに係るもので、図６は着座形状を示すグラフ図、図７は坐骨圧力の大きさを示すグラフ図、図８は共振倍率を示すグラフ図、図９は荷重特性を示すグラフ図である。
【００２４】
図１乃至図５を参照して、実施形態に係る車両用シートＳについて説明する。
車両用シートＳは、図１で示すように、シートバックＳ１（背部）、シートクッションＳ２、ヘッドレストＳ３より構成されており、シートバックＳ１及びシートクッションＳ２はシートフレームにクッションパッド１ａ，２ａを載置して、表皮材１ｂ，２ｂで被覆されている。なお、ヘッドレストＳ３は、頭部の芯材（不図示）にパッド材３ａを配して、表皮材３ｂで被覆して形成される。また符号２０は、ヘッドレストＳ３を支持するヘッドレストピラーである。
【００２５】
車両用シートＳのシートフレームは、シートバックＳ１を構成するシートバックフレーム（不図示）、シートクッションＳ２を構成する着座フレームＦから構成されている。
シートバックＳ１は、シートバックフレームに、上述のようにクッションパッド１ａを載置して、クッションパッド１ａの上から表皮材１ｂにより覆われており、乗員Ｃの背中を後方から支持するものである。
【００２６】
シートクッションＳ２は、着座フレームＦに、上述のようにクッションパッド２ａを載置して、クッションパッド２ａの上から表皮材２ｂによって覆われており、乗員Ｃを下方から支持する構成となっている。着座フレームＦは脚部（不図示）で支持されており、この脚部には、インナレールが取り付けられ、車体フロアに設置されるアウタレールとの間で、前後に位置調整可能なスライド式に組み立てられている。
また着座フレームＦの後端部は、リクライニング機構（不図示）を介してシートバックフレーム（不図示）と連結されている。
【００２７】
本実施の形態において、着座フレームＦは、図２で示すように、略矩形状の枠体となっており、左右方向に離間したサイドフレーム１１，１１と、サイドフレーム１１，１１の前方側（前端）に架設される板状フレームとしてのパンフレーム１２と、サイドフレーム１１，１１の後方側に配設される連結部材としてのメンバーパイプ１３と、サイドフレーム１１，１１に架設される前方弾性部材としての前方スプリング１４と、後方弾性部材としての後方スプリング１５とを備えている。
なお、パンフレーム１２及びメンバーパイプ１３はいずれもサイドフレーム１１，１１に架設されるものであり、サイドフレーム１１，１１を連結する。
【００２８】
２本（一対）のサイドフレーム１１は、着座フレームＦの幅を構成するため、左右方向に離間して配設され、前後方向に延在するように配設されている。そして、一対のサイドフレーム１１，１１の後方側にメンバーパイプ１３が取着され、メンバーパイプ１３によって一対のサイドフレーム１１，１１が連結される。
【００２９】
また、パンフレーム１２は、一対のサイドフレーム１１，１１の前方側に固着接合され、パンフレーム１２によってもまた、一対のサイドフレーム１１，１１が連結される。より詳細には、パンフレーム１２の左右方向の端部は、それぞれ、サイドフレーム１１，１１にそれぞれ設けられたフランジ１１ｂ，１１ｂに固定されている。
【００３０】
パンフレーム１２は、主として乗員Ｃの大腿部を支持するように、その上面がほぼ平坦な略矩形形状に形成された金属製のフレームである。なお、図２に示すように、パンフレーム１２の上面には、後面衝突時のサブマリン現象や、着座時の位置ずれを抑制するために凸部１２ｄが設けられていても良い。
【００３１】
そして、パンフレーム１２は、図３に示すように、前方端部が下方に折曲された前方折曲部１２ａと、後方端部が下方に折曲された後方折曲部１２ｂを備えている。また、前方折曲部１２ａと後方折曲部１２ｂとの間には、上面がほぼ平坦であり、後方に向かって若干下方に傾斜した支持面１２ｃが備えられている。なお、この支持面１２ｃの左右方向の端部は、それぞれサイドフレーム１１，１１のフランジ１１ｂ，１１ｂに固定される（図２参照）。
【００３２】
パンフレーム１２の前方折曲部１２ａの端部（下方端部）には、表皮材２ｂの端部が係止される。なお、表皮材２ｂと前方折曲部１２ａとの係止手段は、トリムコード等、公知の手法が用いられる。
【００３３】
パンフレーム１２の後方折曲部１２ｂよりも後方には、前方スプリング１４及び後方スプリング１５が配設される。前方スプリング１４及び後方スプリング１５は、サイドフレーム１１，１１間に横架されており、前方スプリング１４及び後方スプリング１５の両端部は、サイドフレーム１１，１１に設けられた係止部１１ｃ，１１ｃにそれぞれ係止される。係止部１１ｃは、サイドフレーム１１に設けられており、前後方向に離間して二つの孔が形成されており、その孔によって挟まれる部分がサイドフレーム１１の内側に向かって膨出するように構成されている。そして、一方の孔から前方スプリング１４または後方スプリング１５の端部を差し込み、膨出した部分にスプリングの一部を沿わせたのち、端部を他方の孔に挿通させている。
【００３４】
このように、前方スプリング１４及び後方スプリング１５の端部は、前後方向に沿って当接する膨出面を備えた係止部１１ｃによって支持されている。
【００３５】
前方スプリング１４及び後方スプリング１５は、着座フレームＦを真上から見たとき（すなわち、平面視）、互いに所定距離（前方スプリング１４の後端から後方スプリング１５前端まで、約５０〜７０ｍｍ程度）離間し、延在方向が略平行となるように配設されている。
【００３６】
また、前方スプリング１４と後方スプリング１５との間（所定距離離間した空間）において、乗員Ｃの坐骨結節Ｐに相当する位置が支持されるように構成される。すなわち、前方スプリング１４及び後方スプリング１５は、少なくとも坐骨結節Ｐの位置の下方に配設されない程度に、互いに離間して配設される。
【００３７】
前方スプリング１４及び後方スプリング１５は、波状（ジグザグ形状）等に形成された線状の部材であり、主として乗員Ｃの臀部を支持する。そして、前方スプリング１４及び後方スプリング１５の端部はそれぞれサイドフレーム１１，１１に軸支されており、前方スプリング１４及び後方スプリング１５の上方にクッションパッド２ａが載置される。
【００３８】
前方スプリング１４及び後方スプリング１５の波形形状を含む平面（波形形状によって構成される平面）は、それぞれ、水平方向に対して若干傾斜して配設される。以下において、その傾斜角度について詳細に説明する。
【００３９】
（前方スプリング１４及び後方スプリング１５の傾斜角度）
図４には、前後方向に切断した状態のシートクッションＳ２の断面図の一部拡大図と、その説明を示す。なお、図４において、左側はシートクッションＳ２の前方側、右側はシートクッションＳ２の後方側を示す。
図４に示すように、前方スプリング１４及び後方スプリング１５は、それぞれの波形形状によって構成される面が、水平方向（水平面Ｘ）に対して傾斜して配設されている。そして、前方スプリング１４は後方側が下方に傾斜して（後傾して）配設されており、後方スプリング１５は、前方側が下方に傾斜して（前傾して）配設されているか、または水平に配設されている。
【００４０】
換言すると、前方スプリング１４は、クッションパッド２ａに当接して該パッドを支持する面（クッションパッド２ａとのパッド当接面１４ａ）を水平面Ｘに対して後傾するように配設されており、後方スプリング１５は、クッションパッド２ａに当接して該パッドを支持する面（クッションパッド２ａとのパッド当接面１５ａ）を水平面Ｘに対して前傾するように、または水平面Ｘと平行となるように配設されている。
【００４１】
この時、図４に示すように、前方スプリング１４の波形形状によって構成される面（クッションパッド２ａとのパッド当接面１４ａ）が、水平面Ｘに対して成す角度のうち、小さい方の角度（鋭角）の大きさをθ１とし、後方スプリング１５の波形形状によって構成される面（クッションパッド２ａとのパッド当接面１５ａ）が、水平面Ｘに対して成す角度のうち、小さい方の角度（鋭角）の大きさをθ２とすると、角度θ１とθ２は、互いに異なる角度に設定されている。
【００４２】
この角度θ１及びθ２は、一般的な体格の乗員Ｃの臀部形状（より詳細には、座面に対して傾斜している角度θ１′及びθ２′：θ１′は乗員Ｃの坐骨結節Ｐと、坐骨結節Ｐから前方に８０ｍｍ離れた位置の乗員Ｃの臀部とを通る線と水平面Ｘとが成す角度であり、θ２′は乗員Ｃの坐骨結節Ｐと、坐骨結節から後方に８０ｍｍ離れた位置の乗員Ｃの臀部とを通る線と水平面Ｘとが成す角度である）に依存して設定されると好ましく、本発明において、θ１＞θ２である。より詳細には、Ｉ＝θ２／θ１とするとき、０≦Ｉ≦０．１８とする（より詳細には、パッド当接面１５ａが水平である場合においてＩ＝０であり、それ以外の場合において０＜Ｉ≦０．１８である。）と好ましい。
【００４３】
このような構成の前方スプリング１４及び後方スプリング１５を備えることにより、シートクッションＳ２は、乗員Ｃの臀部の形状により追従しやすくなるため、乗員Ｃは、良好なフィット感を得ることができる。また、前方スプリング１４及び後方スプリング１５が所定距離離間しているため、前方スプリング１４と後方スプリング１５との間（所定距離離間した部分）において乗員Ｃの坐骨結節Ｐを支持することができる。その結果、坐骨圧力を低減し、より着座感の良好なシートクッションＳ２とすることができる。
【００４４】
さらに具体的には、θ１＝１７〜２１°、θ２＝０〜３°とすると好適である。このようにθ１の値は、クッションパッド２ａの撓みを考慮し、さらに、前方に配設されたパンフレーム１２と前方スプリング１４の前端との高さが大きく異なることがないように設定される。θ１の値を上記値よりも大きく、または小さくすると、乗員Ｃはパンフレーム１２と前方スプリング１４との境界部分における段差を感じてしまい、着座感が低下するが、θ１の値を上記値とすることにより、着座感が良好なシートクッションＳ２とすることができる。なお、θ１の値は、前方スプリング１４自体が撓むことを考慮し、１９°とすると最適である。
【００４５】
さらに、θ２の値は、上記値よりも大きな値とするとクッションパッド２ａを薄くしなければならないため、乗員Ｃの臀部が後方スプリング１５に当接しやすくなり、着座感が低下するが、θ２の値を上記値とすることにより、クッションパッド２ａの厚みを確保することができ、乗員Ｃは、着座時に底つき感を感じることが無く、好適である。なお、θ２の値は、クッションパッド２ａの厚みを確保するため、０°とすると最適である。
【００４６】
さらに、上記構成の前方スプリング１４及び後方スプリング１５を備えることにより、クッションパッド２ａの撓み分をスプリングの伸張により吸収することができるため、より着座感が向上する。
【００４７】
なお、前方弾性部材及び後方弾性部材として、それぞれＳばねによって構成された構成を説明したが、例えば、所定幅を有する帯状に形成されたゴム等の弾性部材を前方弾性部材及び後方弾性部材として用いてもよい。帯状の弾性部材を用いた場合、その上面は、水平方向に対して傾斜して配設される。すなわち、前方に配設される弾性部材の上面と水平面Ｘとが成す角度のうち、小さい方の角度（鋭角）をθ１、後方に配設される弾性部材の上面と水平面Ｘとが成す角度のうち、小さい方の角度（鋭角）をθ２、と定義し、θ１及びθ２が上記値を満たすように弾性部材が配設される。
【００４８】
（前方スプリング１４及び後方スプリング１５の効果）
上述のように、前方スプリング１４が水平面Ｘに対して後傾しており、後方スプリング１５が水平面Ｘに対して前傾した（または水平に配設された）構成であるため、本発明のシートクッションＳ２は、乗員Ｃに対して追従性が高く、良好なフィット感を呈する。
【００４９】
また、前方スプリング１４及び後方スプリング１５を上記構成とすることにより、本発明のシートクッションＳ２は、他の緩衝部材を別途備えることなく、良好なクッション性を備え、振動を減衰させることができる。
【００５０】
さらに、本発明のシートクッションＳ２において、前方スプリング１４と後方スプリング１５とが互いに所定距離離間して配設されているため、着座時に最も座圧が高い坐骨結節部直下の圧力（坐骨圧力）を低減することができる。
【００５１】
したがって、上記のように、本発明のシートクッションＳ２は、良好なフィット感を呈し、振動を減衰させることが可能であり、さらに坐骨圧力を低下させることが可能であるため、乗員Ｃに対して極めて良好な着座感を与えることができる。また、本発明のシートクッションＳ２は、部品点数を増加させることなく、簡単且つ軽量な構成であるため、車両に対してシートクッションＳ２（車両用シートＳ）を組み付ける際、作業効率が良好になり、好適である。
【００５２】
（パンフレーム１２の構造）
図５には、シートクッションＳ２を前後方向に切った状態の断面図と、その説明を示す。なお、図５において、左側はシートクッションＳ２の前方側、右側はシートクッションＳ２の後方側を示す。
図５に示すように、パンフレーム１２の支持面１２ｃの後端部１２ｅ（すなわち、支持面１２ｃと後方折曲部１２ｂとの境界部）は、３次元マネキンのヒップポイントＨの位置を基準にしてその位置が決定される。
【００５３】
パンフレーム１２の後端部１２ｅは、図５のように、後端部１２ｅからヒップポイントＨまでの高さ（鉛直方向の距離）をα、後端部１２ｅとヒップポイントＨとの前後方向の距離（ただし、ヒップポイントＨは後端部１２ｅの後方に位置する）をβとしたとき、βに対するαの比、すなわちα／βが０．７３≦α／β≦１．０９の関係を満たすように備えられていると好ましい。
【００５４】
パンフレーム１２の後端部１２ｅを上記のような位置に設けると、車両走行時の振動特性が向上し、さらに着座時の異物感を感じることが無く、良好な着座感を得ることができる。なお、このとき、「振動特性が向上する」とは、共振倍率が低減すること、及び共振周波数が大きくなることを示す。振動特性については、以下に詳述する。
【００５５】
上記α、βの値に関し、より詳細には、α＝８５〜１０５ｍｍ、β＝９６〜１１６ｍｍ程度であると好ましい。α、βがそれぞれこの範囲となるようにパンフレーム１２をサイドフレーム１１，１１に取り付けると、振動特性が向上する。
αが１０５ｍｍを超える場合や、βが１１６ｍｍを超える場合には、振動特性を向上させることができず、また、αが８５ｍｍよりも小さい場合や、βが９６ｍｍよりも小さい場合には、着座時に臀部において底つき感や異物感を感じやすくなるため、着座感が低下する。
【００５６】
上記のように、３次元マネキンのヒップポイントＨに対してパンフレーム１２の後端部１２ｅの位置を上記範囲内に設置することにより、元来重量の大きいパンフレームを、全面に架け渡した構成と比較して、パンフレーム面積を小さくすることができる。その結果、着座フレームＦの軽量化が可能となるだけでなく、車両走行時の振動特性や、乗員Ｃが感じる着座感を向上させることができる。
【００５７】
さらに、パンフレーム１２の後端部１２ｅを上記範囲内に設置し、さらに前方スプリング１４及び後方スプリング１５を上記構成のように設置することにより、本発明のシートクッションＳ２は、振動特性が向上するだけでなく、乗員Ｃの身体（臀部）に対してクッションパッド２ａが追従しやすく、さらに坐骨圧力が低減するため、乗員Ｃに対して極めて良好な着座感を与えることができる。また、クッションパッド２ａの追従性を向上させる構成として複雑な装置を備えることがないため、重量が増加することがない。
【００５８】
（実施例及び比較例）
以下、図６乃至図９を参照して本発明の実施例及び比較例について説明する。
なお、図６乃至図９中、「実施例」は本発明の実施形態のシートクッションＳ２であり、上記θ１を１９°，θ２を０°としている。また、α＝９５ｍｍ，β＝１０６ｍｍである。
「比較例」は、本発明の前方スプリング１４及び後方スプリング１５の替わりに４本のＳバネを前後方向に架設したものである。また、「比較例」は、パンフレームが実施例と比較すると前後方向において小さく（すなわち、βが１１６ｍｍよりも大きく）、また、パンフレームの後端部からヒップポイントＨまでの高さが大きい（すなわち、αが１０５ｍｍよりも大きい）ものである。具体的には、α＝１１５ｍｍ、β＝１５３ｍｍである。
【００５９】
図６は、乗員Ｃ（被験者）が着座した際のシートクッションＳ２の着座形状（高さ方向の変位量）を示すグラフ図である。横軸をシートクッションＳ２の前後方向、縦軸をシートクッションＳ２の上面（乗員が当接する面）の高さ方向における変位量として、乗員Ｃの身体（臀部）に対する追従性（フィット感）を示している。なお、図６中の符号Ｐは、乗員Ｃの坐骨結節Ｐの位置を示している。
【００６０】
本測定は、ステンレステープ（厚さ＝０．４ｍｍ、幅＝４０ｍｍ）をシートクッションＳ２の前後方向に張り渡し、被験者がシートクッションＳ２上に着座した状態で、歪みゲージ式荷重計測器（ミネベア株式会社製）を用いて測定を行うことにより、着座形状比較を行った。なお、この時の被験者は、４０人の体型（臀部形状）の平均値に最も近い乗員とした。
【００６１】
その結果、坐骨結節Ｐの位置において、実施例と比較例とでは同じ変位量である一方、シートクッションＳ２の前端及び後端において、本発明の実施例の方が、より変位が小さく、乗員Ｃを支持していることが示された。したがって、本発明のシートクッションＳ２は、乗員Ｃに対する高い追従性、すなわちフィット感を備えていることが確認された。
【００６２】
したがって、クッションパッド２ａを支持する弾性部材を前後方向に架設した構成のシートクッションよりも、前方スプリング１４及び後方スプリング１５を左右方向に架設し、さらに前方スプリング１４を後傾させ、後方スプリング１５を前傾させることにより、クッションパッド２ａを乗員Ｃに対して追従させやすくなることが示された。
【００６３】
前方スプリング１４のパッド当接面１４ａ及び後方スプリング１５のパッド当接面１５ａが水平面Ｘと成す角度θ１を１９°，θ２を０°とすることにより、坐骨結節Ｐの前後において、乗員の臀部を良好に支持することが可能であることが示された。
【００６４】
図７は、乗員Ｃが着座した際のシートクッションＳ２における坐骨圧力を示すグラフ図である。本測定は、クッションパッド２ａ（表皮材２ｂ）上（より詳細には、坐骨結節Ｐに相当する部分）にセンサを取り付け、衣服圧計（株式会社エイエムアイ・テクノ製）を用いて被験者が着座した状態の圧力を計測することにより行った。
【００６５】
その結果、実施例の坐骨圧力は、比較例の坐骨圧力と比較して顕著に小さいことが示された。したがって、前方スプリング１４及び後方スプリング１５を左右方向に架設し、互いに離間して配設することにより、着座感に大きな影響を与える坐骨圧力が低減できることが確認された。
一方、弾性部材を前後方向に架設した比較例では、坐骨結節の部分を避けて弾性部材を配設することができないため、坐骨圧力を低減することが難しい。したがって、本発明のシートクッションＳ２は、前方スプリング１４及び後方スプリング１５を所定距離離間して配設し、坐骨結節Ｐをその離間した部分に位置させることができるため、着座感が向上する。
【００６６】
図８は、シートクッションＳ２の強制加振試験（振動特性試験）の結果を示すグラフ図である。横軸は周波数、縦軸は共振倍率（伝達率）を示している。
本測定は、ＪＡＳＯ  Ｂ４０７−８７  「６．４  振動試験」の項に基づいて行った。
【００６７】
その結果、実施例のシートクッションＳ２は、共振倍率が低下していると共に、周波数が高周波数側へシフトしており、さらに共振点が乗員Ｃの身体の共振域から大きくシフトしていることが確認された。
一方、パンフレームが前後方向において比較的小さく形成されている（すなわち、パンフレームの後端部がヒップポイントＨから遠い位置に備えられている）比較例では、共振倍率が高く、さらに共振点を乗員Ｃの身体の共振域からシフトすることが難しい。
【００６８】
したがって、本発明のシートクッションＳ２は、パンフレーム１２の後端部１２ｅの位置を上記構成とすることにより、振動特性が向上する。すなわち、本発明のシートクッションＳ２は、シートの共振点を乗員Ｃの身体の共振域からシフトさせることができ、さらに共振倍率も低減可能である。その結果、本発明のシートクッションＳ２は、車両走行時の共振を緩和する効果が高く、良好な着座感を備えることができる。
【００６９】
また、比較例のシートクッションでは、着座フレームにおいて備えられた弾性部材は左右方向に架設されており、さらにその本数が４本であるが、本発明のシートクッションＳ２は、弾性部材の数を低減してその架設方向を前後方向としたため、より振動特性が向上したものと予想される。
【００７０】
図９は、シートクッションＳ２の荷重撓み試験（荷重特性試験）の結果を示すグラフ図である。横軸はシートクッションＳ２の変位量、縦軸はシートクッションＳ２に対して加えられた荷重を示している。
本測定は、ＪＡＳＯ  Ｂ４０７−８７  「６．１  荷重試験」の項に基づいて行った。
【００７１】
その結果、実施例のシートクッションＳ２は、静的着座（通常の着座）領域の荷重範囲において、比較例のシートクッションと同程度の硬さを維持するが、振動着座領域の荷重範囲において、比較例のシートクッションよりも硬くなることが示された。
【００７２】
したがって、本発明のシートクッションＳ２は、パンフレーム１２の後端部１２ｅの位置を上記構成とすることにより、高荷重に対する硬度が高い。その結果、本発明のシートクッションＳ２は、振動特性が向上し、良好な着座感を備えることができる。
【００７３】
（他の実施形態）
なお、上記各実施形態では、具体例として、自動車のフロントシートの着座フレームＦについて説明したが、これに限らず、後部座席の着座フレームについても、同様の構成を適用可能であることは勿論である。
【符号の説明】
【００７４】
Ｃ  乗員（３次元マネキン）
Ｈ  ヒップポイント（Ｈ点）
Ｐ  坐骨結節
Ｓ  車両用シート
Ｓ１  シートバック
Ｓ２  シートクッション
Ｓ３  ヘッドレスト
Ｆ  着座フレーム
Ｘ  水平面
１ａ，２ａ，３ａ  クッションパッド（パッド材）
１ｂ，２ｂ，３ｂ  表皮材
１１  サイドフレーム
１１ｂ  フランジ
１１ｃ  係止部
１２  パンフレーム（板状フレーム）
１２ａ  前方折曲部
１２ｂ  後方折曲部
１２ｃ  支持面
１２ｄ  凸部
１２ｅ  後端部
１３  メンバーパイプ（連結部材、パイプフレーム）
１４  前方スプリング（前方弾性部材）
１４ａ  パッド当接面
１５  後方スプリング（後方弾性部材）
１５ａ  パッド当接面
２０  ヘッドレストピラー
【図１】
0005956628.tif 000002
【図２】
0005956628.tif 000003
【図３】
0005956628.tif 000004
【図４】
0005956628.tif 000005
【図５】
0005956628.tif 000006
【図６】
0005956628.tif 000007
【図７】
0005956628.tif 000008
【図８】
0005956628.tif 000009
【図９】
0005956628.tif 000010